(57)【特許請求の範囲】
【請求項１】
橋梁における桁材支承部の一側面部から前面一半部にかけて被覆するカバー一半部と、上記支承部の他側面部から前面他半部にかけて被覆するカバー他半部と、上記支承部の後面側を全面的に被覆する後面カバー部とからなり、カバー一半部とカバー他半部とは上記支承部の一側面部と他側面部をそれぞれ被覆し且つ下端面が支承部設置面近くにまで達する縦幅を有する側板部を備え、これらの側板部の前端縁に支承部の前面一半部と前面他半部とを被覆する前面板部をそれぞれ一体に設けていると共に、カバー一半部の側板部と前面板部との上端縁と、カバー他半部の側板部と前面板部との上端縁とに、上記橋梁桁材の端部における下部フランジの一側フランジ部と他側フランジ部との上面を被覆する天板部をそれぞれ一体に設け、且つ、カバー一半部とカバー他半部の前面板部の上端対向部に橋梁桁材の両側フランジ部にそれぞれ係合させる水平係止口を形成してあり、さらに、これらのカバー一半部とカバー他半部との上記側板部に閉止板を取り外し可能に装着した点検口を設けていると共にカバー一半部の前面板部とカバー他半部の前面板部との対向端縁と、上記後面カバー部の両側端縁とこれらのカバー一半部及びカバー他半部の側板部の後端縁とをそれぞれ一体に接続可能に構成していることを特徴とする橋梁の桁材支承部のカバー。
【請求項２】
カバー一半部とカバー他半部との天板部にこれらのカバー一半部内と他半部内とを外部に連通させた換気筒を立設していることを特徴とする請求項１に記載の橋梁の桁材支承部のカバー。
【請求項３】
カバー一半部とカバー他半部、及び後面カバー部と点検口閉止板はシリコーンゴムからなることを特徴とする請求項１又は請求項２に記載の橋梁の桁材支承部のカバー。
【請求項４】
カバー一半部の前面板部とカバー他半部の前面板部との対向端縁同士の接続構造と、これらのカバー一半部及びカバー他半部の側板部の後端縁と後面カバー部の両側端縁との接続構造とは、対向する端縁のいずれか一方に突条を他方にこの突条を嵌合させる条溝を形成してなる構造であることを特徴とする請求項１、請求項２又は請求項３に記載の橋梁の桁材支承部のカバー。
【請求項５】
請求項１に記載のカバーの取付構造であって、カバー一半部とカバー他半部とを橋梁の桁材支承部の両側に配してそれぞれの前面板部の上端部に形成している水平係止口を橋梁桁材の下部フランジの両側フランジ部にそれぞれ差し込んで係止させ、且つ、前面板部の対向端縁を突き合わせ状に一体に接続することにより、これらのカバー一半部とカバー他半部との天板部で桁材の両側フランジ部の端部上面とこれらの両側フランジ部の下方から外側方に突出している桁材支承部の上面を全面的に被覆していると共に、側板部と前面板部とで桁材支承部の両側面と前面とをそれぞれ全面的に被覆してあり、さらに、これらのカバー一半部とカバー他半部の側板部の後端縁に後面カバー部の両側端縁を一体に接続させてこの後面カバー部で桁材支承部の後面を全面的に被覆していると共に、桁材の下部フランジに対するカバー一半部とカバー他半部との接触部をシールし、且つ、側板部に設けている点検口を閉止板よって密閉していることを特徴とする橋梁桁材に対する支承部カバーの取付構造。
【発明の詳細な説明】
【０００１】
【発明の属する技術分野】
本発明は、道路や鉄道等の橋梁において、橋脚や橋台間に掛け渡している桁材の支承部の劣化を防止するためのカバーと、このカバーの取付構造に関するものである。
【０００２】
【従来の技術】
一般の橋梁は、橋脚間又は橋脚と橋台間に桁材（橋桁）を掛け渡してこの桁材の両端部下面を橋脚や橋台（以下、橋脚として説明する）に設置した鋳鉄又は鋳鋼製の支承部に支持させ、桁材上にコンクリート製床版を施工してこの床版の上面に舗装を施してなるものであるが、上記橋梁の支承部は、雨水の滞水やコンクリート製床版から落下するアルカリ性遊離石灰の付着などによって、メッキや塗装が劣化し、錆の発生と共に支承部の機能低下を引き起こすという問題点がある。このため、支承部をステンレスなどの金属板製のカバーによって密閉状に被覆することが行われている（例えば、特許文献１、２参照）。
【０００３】
【特許文献１】
実用新案登録第２５１８１６８号公報（第１〜２頁、第１図）
【特許文献２】
特開平５−１７１６２４号公報（第２〜３頁、第１図）
【０００４】
【発明が解決しようとする課題】
しかしながら、支承部をカバーによって密閉すると、定期的に点検する際にカバー内の確認が困難となり、その上、カバー内部の温度や湿度が上昇して外気との温度差で結露が発生し、その水滴が支承部に滴下して腐食が生じるという問題点があった。
【０００５】
また、桁材の端部下面を支持している支承部は、橋脚の上面中央部に突設している突壁部の壁面に極めて接近した位置に設置されているため、該支承部の後面と突壁部の壁面との間には僅かな隙間しかなく、従って、この隙間にカバーの後面部を挿入して支承部の後面を被覆させる作業が極めて困難であるばかりでなく、支承部の高さが低くて桁材の下面と橋脚の上端面との間の隙間が狭いために、この隙間内に面している支承部の前面から該支承部の両側面にかけてこれらの面を被覆するようにカバーを装着する作業にも著しく手間を要するという問題点があった。
【０００６】
本発明は上記のような問題点に鑑みてなされたもので、その目的とするところは、支承部の点検が容易に行えるばかりでなく、雨水の浸入や結露の発生を抑制して支承部の劣化を防止し、且つ、長期の使用に供することができると共に、支承部を全面的に被覆するように取付ける作業も円滑且つ正確に行えるようにした橋梁の桁材支承部のカバーとその取付構造を提供するにある。
【０００７】
【課題を解決するための手段】
上記目的を達成するために本発明の橋梁における桁材支承部のカバーは、請求項１に記載したように、橋梁における桁材支承部の一側面部から前面一半部にかけて被覆するカバー一半部と、上記支承部の他側面部から前面他半部にかけて被覆するカバー他半部と、上記支承部の後面側を全面的に被覆する後面カバー部とからなり、カバー一半部とカバー他半部とは上記支承部の一側面部と他側面部をそれぞれ被覆し且つ下端面が支承部設置面近くにまで達する縦幅を有する側板部を備え、これらの側板部の前端縁に支承部の前面一半部と前面他半部とを被覆する前面板部をそれぞれ一体に設けていると共に、カバー一半部の側板部と前面板部との上端縁と、カバー他半部の側板部と前面板部との上端縁とに、上記橋梁桁材の端部における下部フランジの一側フランジ部と他側フランジ部との上面を被覆する天板部をそれぞれ一体に設け、且つ、カバー一半部とカバー他半部の前面板部の上端対向部に橋梁桁材の両側フランジ部にそれぞれ係合させる水平係止口を形成してあり、さらに、これらのカバー一半部とカバー他半部との上記側板部に閉止板を取り外し可能に装着した点検口を設けていると共にカバー一半部の前面板部とカバー他半部の前面板部との対向端縁と、上記後面カバー部の両側端縁とこれらのカバー一半部及びカバー他半部の側板部の後端縁とをそれぞれ一体に接続可能に構成している。
【０００８】
このように構成した桁材支承部のカバーにおいて、請求項２に係る発明は、上記カバー一半部とカバー他半部との天板部にこれらのカバー一半部内と他半部内とを外部に連通させている換気筒を立設した構造としている。
【０００９】
さらに、請求項３に係る発明は、カバーを構成する上記カバー一半部とカバー他半部、及び後面カバー部と点検口閉止板はシリコーンゴムから形成していることを特徴とする。
【００１０】
請求項４に係る発明は、上記カバー一半部の前面板部とカバー他半部の前面板部との対向端縁同士の接続構造と、後面カバー部の両側端縁とこれらのカバー一半部及びカバー他半部の側板部の後端縁との接続構造として、対向する端縁のいずれか一方に突条を他方にこの突条を嵌合させる条溝を形成してなる構造を採用している。
【００１１】
また、請求項５に係る発明は、上記請求項１に記載のカバーの取付構造であって、カバー一半部とカバー他半部とを橋梁の桁材支承部の両側に配してそれぞれの前面板部の上端部に形成している水平係止口を橋梁桁材の下部フランジの両側フランジ部にそれぞれ差し込んで係止させ、且つ、前面板部の対向端縁を突き合わせ状に一体に接続することにより、これらのカバー一半部とカバー他半部との天板部で桁材の両側フランジ部の端部上面とこれらの両側フランジ部の下方から外側方に突出している桁材支承部の上面を全面的に被覆していると共に、側板部と前面板部とで桁材支承部の両側面と前面とをそれぞれ全面的に被覆してあり、さらに、これらのカバー一半部とカバー他半部の側板部の後端縁に後面カバー部の両側端縁を一体に接続させてこの後面カバー部で桁材支承部の後面を全面的に被覆していると共に、桁材の下部フランジに対するカバー一半部とカバー他半部との接触部をシールし、且つ、側板部に設けている点検口を閉止板よって密閉している構造としている。
【００１２】
【作用】
カバー一半部を橋梁の桁材支承部における一側方に配して、その前面板部の上端部に、該前面板部の内側端面から桁材の下部フランジにおける一側フランジ部の幅に略等しい深さに達するまで側板部の上端に向かって水平に形成している水平係止口を上記一側フランジ部に差し込むと、このカバー一半部の天板部が桁材支承部における一側部上方の上記一側フランジ部の上面を被覆すると共にこのフランジ部上に重ね合わせ状態に保持される。このように、カバー一半部の水平係止口を一側フランジ部に差し込んで、その天板部を該一側フランジ部上に載置状態に装着すると、この天板部の装着と同時に、該天板部の外側端縁に上端縁が連なっている側板部が桁材支承部の外側方に垂下した状態となって支承部の一側面を全面的に被覆すると共に、前面板部が上記一側フランジ部の下面に沿ってこの一側フランジ部の下方に挿入されて上記支承部の前面を被覆する。
【００１３】
同様に、カバー他半部を上記桁材支承部における他側方に配して、その前面板部の上端部に形成している水平係止口を桁材の上記下部フランジにおける他側フランジ部に差し込むと、このカバー他半部の天板部が桁材支承部における他側部上方の上記他側フランジ部の上面を被覆すると共にこのフランジ部上に重ね合わせ状態に保持され、同時に、該天板部の外側端縁に上端縁が連なっている側板部が桁材支承部の外側方に垂下した状態となって支承部の他側面を全面的に被覆すると共に、前面板部が上記他側フランジ部の下面に沿ってこの他側フランジ部の下方に挿入されて上記支承部の前面を被覆する。
【００１４】
このように、支承部によって支持された桁材の端部における下部フランジの両側フランジ部に、カバー一半部とカバー他半部とをそれぞれ装着すると、下部フランジの下方に該フランジの幅方向に挿入されたこれらのカバー一半部とカバー他半部との前面板部の内側端縁が下部フランジ部の幅方向の中央部下方で突き合わせ状に接合するので、その接合部を接続させることによって両側の前面板部を一体化させる。
【００１５】
さらに、桁材支承部の後面と橋脚の上面中央部に突設している突壁部の壁面との間の隙間に後面カバー部を挿入してその両側端縁部を支承部を挟んで平行に配設されているカバー一半部の側板部とカバー他半部の側板部との後端縁部に接合させ、それぞれの接合部を接続させることによってこれらの両側板部の後端縁間に後面カバー部を一体に連続させる。
【００１６】
このように、カバー一半部とカバー他半部及び後面カバー部を組み合わせることによって、桁材支承部の前後面と両側面、即ち、周囲を全面的に被覆し、且つ下方が開口しているボックス形状のカバーが構成される。そして、桁材の下部フランジに対するカバー一半部とカバー他半部との接触部をコーキング材によってシールすると共に両側板部に設けている点検口を閉止板よって密閉すれば、雨水の浸入や支承部に対するコンクリート製床版から落下するアルカリ性遊離石灰の付着が防止されると共に、カバーが桁材に吊支されてその下端と支承部設置面との間に隙間が存在しているので、この隙間を通じてカバーの内外が連通し、外気との温度差による結露の発生が防止される。
【００１７】
さらに、このような隙間が存在しなくても、或いは、存在している場合であっても、カバー一半部とカバー他半部との天板部にこれらのカバー一半部内と他半部内とを外部に連通させた換気筒を立設しておくことによって、この換気筒が煙突効果を発揮し、カバー内の空気がこの換気筒を通じて外部に流出してカバー内を常に乾燥状態に保持し、結露の発生を確実に防止することができる。
【００１８】
また、このカバーをシリコーンゴムから形成しておくことによって、耐候性、耐劣化性が向上し、長期の使用に耐えることができると共に、カバーの両側板部に点検口を設けているので、橋梁桁材の側方からこの点検口を閉じている閉止板を取り外すことによってカバー内部の支承部を容易に点検することができるものである。
【００１９】
なお、カバー一半部とカバー他半部との上記前面板部の対向端縁との接続構造として、一方の端縁に突条を、他方の端縁にこの突条を嵌合させる条溝を設けておくことにより、桁材の下方部でこれらの前面板部の対向端縁を突き合わせ状に接合させた状態から、接合端縁部を互いに押し合う方向に挟圧することによって条溝内に突条が嵌入し、前面板部同士の接続作業が容易に且つ確実に行うことができる。同様に、後面カバー部の両側端縁とカバー一半部及びカバー他半部の側板部後端縁との接続も、上記突条と条溝との嵌合によって行うことにより、能率よく且つ正確に接続一体化させることができる。
【００２０】
【発明の実施の形態】
次に本発明の具体的な実施の形態を図面について説明する。図１は橋梁における橋脚間に架設された桁材（縦桁）Ａの端部を支持している支承部Ｂ（図２、図９に示す）を全面的に被覆したカバーＣの斜視図、図２はその簡略縦断正面図、図３はカバーＣの分解斜視図であって、支承部ＢのカバーＣはシリコーンゴムからなり、支承部Ｂの一側面部から該支承部Ｂの前面の一半部にかけて被覆するカバー一半部１と、支承部Ｂの他側面から該支承部Ｂの前面の他半部にかけて被覆するカバー他半部２と、支承部Ｂの後面側を全面的に被覆する後面カバー部３とから構成している。
【００２１】
これらのカバー一半部１とカバー他半部２及び後面カバー部３の具体的な構成を詳しく説明すると、カバー一半部１は図１〜図５に示すように、支承部Ｂにおける一側面部に近接して該一側面部を全面的に被覆する側面横長長方形状の垂直な側板部11と、外端縁がこの側板部11の前端縁に一体に連設して該側板部11の前端縁から内側方に向かって直角に屈折し且つ内端縁が桁材Ａの下部フランジA3における幅方向の中央部下方にまで達して支承部Ｂの前面一側部を被覆する正面矩形状の前面板部12と、この前面板部12と上記側板部11との上端縁に前端縁と外側端縁とを一体に連設して、支承部Ｂによって支持されている上記桁材Ａの下部フランジA3における一側フランジ部A31 の上面から支承部Ｂの一側部上方にかけて被覆する平面四角形状の天板部13とからなる。
【００２２】
さらに、このカバー一半部１における上記前面板部12の上端部に、この前面板部12の内側端面から外側方に向かって、上記一側フランジ部A31 の幅に略等しい奥行き深さを有する水平係止口14を形成している。この水平係止口14は前面板部12の横幅方向の中程にまで達していると共にその上下開口幅は上記一側フランジ部A31 の厚みに略等しいかやや大きい寸法に形成されてあり、この一側フランジ部A31 を水平係止口14に挿入した場合、該水平係止口14の上側下向き端面が一側フランジ部A31 の上面に接し、且つ天板部13の内側部下面がこの一側フランジ部A31 の上面に密接、受止されて支承部Ｂの上方の一側フランジ部A31 を被覆するように構成していると共に、この装着状態において側板部11の下端面が支承部Ｂの設置面、即ち、橋脚の上端面近傍部に達して設置面との間に隙間Ｄが生じるように、カバー一半部１の高さを設定している。
【００２３】
また、このカバー一半部１の天板部13において、上記桁材Ａの一側フランジ部A31 を被覆しない外側部の適所に下端がカバー一半部１内に連通し、且つ上端が上方に向かって開口した小径の換気筒８を垂直状に立設している。
【００２４】
上記桁材Ａは、ウエブA1の上下端に両側方に向かって上部フランジA2と下部フランジA3とを一体に設けているＩ形鋼からなり、支承部Ｂによって支持された端部におけるウエブA1の両側面に外側方に向かって正面縦長長方形状の補強突片部A4、A5を突設している場合には、カバー一半部１における上記天板部13の前後方向の中央部に内側端面から外側方に向かって一側補強突片部A4の突出長に略等しい奥行きを有し、且つこの一側補強突片部A4の厚みに略等しいかやや大きい前後幅を有する凹部15を形成してあり、さらに、この凹部15の上端周縁部と上記水平係止口14の前面側周縁部とに一定幅と高さを有する補強突縁部16を設けていると共にこの補強突縁部16は天板部13の内端縁上面にも連続的に設けられていてその内側端面を桁材ＡのウエブA1の一側面下端に当接させるように形成している。
【００２５】
また、このカバー一半部１の後方は全面的に開放されていてその後端における上記側板部11の後端縁と、この後端面の上端から内側方に向かって連続した上記天板部13の後端縁とに、それぞれ外側方及び上方に向かって一定の突出幅を有する垂直縁部17a と水平縁部17b を突設してあり、これらの垂直縁部17a と水平縁部17b の後端面に互いに逆Ｌ字状に連続した垂直条溝17c と水平条溝17d をそれぞれ設けている。同様に、カバー一半部１の上記前面板部12の内側端縁には図５、図８に示すように、前方に向かって一定幅の縁部18を突設してあり、この縁部18の内側面にも全長に亘って垂直条溝18a を設けている。
【００２６】
さらに、カバー一半部１の側板部11には門形状の点検口4aが設けられてあり、この点検口4aをカバー一半部１と同一材料、即ち、シリコーンゴムよりなる閉止板5aによって開閉自在に閉止するように構成している。詳しくは、図３に示すように、上記点検口4aは、天板部13の一側端中央部と側板部11の前後部とから外側方に向かって突設している一定幅を有する門形状の突縁部19によって囲まれた空間部で形成されてあり、この突縁部19の内周面に条溝19a を形成している一方、閉止板5aの上端面から両側端面にかけて上記条溝19a に係脱自在に係止する突条6aを突設していると共に、突縁部19と閉止板5aとの適所をボルト・ナット7aによって連結、固定させるように構成している。
【００２７】
カバー他半部２においても上記カバー一半部１と同様な構成を有している。即ち、図１〜３及び図６、図７に示すように、このカバー他半部２は支承部Ｂにおける他側面部に近接して該他側面部を全面的に被覆する側面横長長方形状の垂直な側板部21と、この側板部21の前端縁から内側方に向かって直角に屈折し且つ内端縁が桁材Ａの下部フランジA3における幅方向の中央部下方にまで達して支承部Ｂの前面他側部を被覆する正面矩形状の前面板部22と、この前面板部22と上記側板部21との上端縁に前端縁と外側端縁とを一体に連設して、支承部Ｂによって支持されている上記桁材Ｂの下部フランジA3における他側フランジ部A32 の上面から支承部Ｂの他側部上方にかけて被覆する平面四角形状の天板部23とからなるものである。
【００２８】
さらに、このカバー他半部２における上記前面板部22の上端部に、この前面板部22の内側端面から外側方に向かって、上記他側フランジ部A32 の幅に略等しい奥行き深さを有する水平係止口24を形成している。この水平係止口24は前面板部22の横幅方向の中程にまで達していると共にその上下開口幅は上記他側フランジ部A32 の厚みに略等しいかやや大きい寸法に形成されてあり、この他側フランジ部A32 を水平係止口24に挿入した場合、該水平係止口24の上側下向き端面が他側フランジ部A32 の上面に接し、且つ天板部23の内側部下面がこの他側フランジ部A32 の上面に密接、受止されて支承部Ｂの上方の他側フランジ部A32 を被覆するように構成していると共に、この装着状態において側板部21の下端面が支承部Ｂの設置面、即ち、橋脚の上端面近傍部に達して設置面との間に隙間Ｄが生じるように、カバー他半部２の高さを設定している。
【００２９】
このカバー他半部２の天板部23において、上記カバー一半部１の天板部13と同様に、上記桁材Ａの他側フランジ部A32 を被覆しない外側部の適所に下端がカバー他半部２内に連通し、且つ上端が上方に向かって開口した小径の換気筒９を垂直状に立設している。
【００３０】
また、上記桁材ＡのウエッブA1の両側面に外側方に向かって正面縦長長方形状の補強突片部A4、A5を突設している場合には、このカバー他半部２における上記天板部23の前後方向の中央部に、内側端面から外側方に向かって他側補強突片部A5の突出長に略等しい奥行きを有し、且つこの他側補強突片部A5の厚みに略等しいかやや大きい前後幅を有する凹部25を形成してあり、さらに、この凹部25の上端周縁部と上記水平係止口24の前面側周縁部とに一定幅と高さを有する補強突縁部26を設けていると共にこの補強突縁部26は天板部23の内端縁上面にも連続的に設けられていてその内側端面を桁材ＡのウエッブA1の他側面下端に当接させるように形成している。
【００３１】
このカバー他半部２における全面的に開放されている後端側の上記側板部21の後端縁と、この後端面の上端から内側方に向かって直角に連続した上記天板部23の後端縁とに、それぞれ外側方及び上方に向かって一定の突出幅を有する垂直縁部27a と水平縁部27b を突設してあり、これらの垂直縁部27a と水平縁部27b の後端面に互いに逆Ｌ字状に連続した垂直条溝27c と水平条溝27d をそれぞれ設けている。また、カバー他半部２の上記前面板部22の内側端縁には前方に向かって一定幅の縁部28を突設してあり、この縁部28の内側面に図８に示すように、上記カバー一半部１の前面板部12の内側端縁に設けている垂直条溝18a に係止させる突条28a を全長に亘って形成している。
【００３２】
さらに、カバー他半部２の側板部21には上記カバー一半部１と同様に門形状の点検口4bが設けられてあり、この点検口4bをシリコーンゴムよりなる閉止板5bによって開閉自在に閉止するように構成している。詳しくは、上記点検口4bは、天板部23の一側端中央部と側板部21の前後部とから外側方に向かって突設している一定幅を有する門形状の突縁部29によって囲まれた空間部で形成されてあり、この突縁部29の内周面に条溝29a を形成している一方、閉止板5bの上端面から両側端面にかけて上記条溝29a に係脱自在に係止する突条6bを突設していると共に、突縁部29と閉止板5bとの適所をボルト・ナット7bによって連結、固定させるように構成している。
【００３３】
なお、上記カバー一半部１の天板部13の後端縁は外側から内側に向かって斜め後方に傾斜した形状としているが、これは、橋脚の上面中央部に突設している突壁部Ｅの長さ方向に対して桁材Ａが直角ではなく一側方に向かって傾斜させた状態で橋脚間に架設しているからであって、そのため、該突壁部Ｅの垂直面にカバー一半部１の天板部13の後端縁が小間隔を存して互いに平行に配設し得るように傾斜させているのであり、桁材Ａが突壁部Ｅに対して直角に配設される場合には天板部13の後端縁を前側端縁に対してカバー他半部２と同様に直角となるように形成し、カバー他半部２と対称的な形状に構成しておけばよい。同様に、カバー他半部２の天板部23に設けている凹部25も、桁材ＡにおけるウエブA1の他側補強突片部A5に合わせて傾斜させているが、この他側補強突片部A5が一側補強突片部A4のように、ウエブA1から直角方向に突設している場合には、カバー一半部１の天板部13に設けている凹部15のように天板部の内側端縁に対して直角方向に設けおいてもよい。
【００３４】
一方、これらのカバー一半部１とカバー他半部２と共にカバーＣを構成している後面カバー部３は図１、図３、図８に示すように、カバー一半部１とカバー他半部２とを組み合わせた際における後方開口端を全面的に閉止する横長長方形状のシリコーンゴム板からなり、その前面側における両側端縁部にカバー一半部１とカバー他半部２との側板部11、21の後端縁の垂直縁部17a 、27a に形成している垂直条溝17c 、27c にそれぞれ挿嵌、係止可能な垂直突条31、32を形成していると共に、これらの垂直突条31、32の上端間に、該後面カバー部３の上端縁に沿ってカバー一半部１とカバー他半部２との天板部13、23の後端縁に設けている上記水平条溝17d 、27d に全長に亘って挿嵌、係止可能な水平突条33を形成している。
【００３５】
なお、この後面カバー部３におけるカバー一半部１の後方開口端を閉止する一側部の下端部には、橋脚の上記突壁部Ｅの下端に連続的に固着している上記支承部Ｂの後端一側部を跨いで、該一側部に密接する切欠部34を形成しているが、該支承部Ｂの後端他側部のように、その後端面と上記突壁部Ｅとの間に隙間が存在する場合には、このような切欠部34を必要としない。
【００３６】
次に、上記のように構成した桁材支承部ＢのカバーＣによって支承部Ｂを被覆するには、まず、カバー一半部１とカバー他半部２とを支承部Ｂの両側方に配設してこれらの天板部13、23を支承部Ｂによって支持されている桁材Ａの端部における下部フランジA3の一側フランジ部A31 と他側フランジ部A32 とにそれぞれ装着したのち、これらのカバー一半部１とカバー他半部２との後端開口部を上記後面カバー部３によって閉止する。
【００３７】
具体的には、カバー一半部１を支承部Ｂの一側方に配して、その前面板部12の上端部に設けている水平係止口14の開口端を支承部Ｂの前面上方部における桁材Ａの下部フランジA3の一側フランジ部A31 の外端面に対向させてこの一側フランジ部A31 に差し込んで被嵌していくと、前面板部12の内側半部が上記一側フランジ部A31 の下面に沿って支承部Ｂの前面における一側部を覆うように該一側フランジ部A31 の下方空間部に挿入されると共に、天板部13の下面が支承部Ｂの上方における一側フランジ部A31 の上面に摺接しながら内側方に移動する。
【００３８】
そして、一側フランジ部A31 の外側端面が水平係止口14の奥底部に達するまでカバー一半部１を内側方に移動させると、その前面板部12の内側端縁が桁材Ａにおける下部フランジA3の１／２の幅にまで達すると共に天板部13の内側半部分が支承部Ｂの上方における上記一側フランジ部A31 に受止された状態で該一側フランジ部A31 を全面的に被覆し、且つ該天板部13の外側半部分が一側フランジ部A31 から外側方に突出してこの突出部分で支承部Ｂの一側部における外側上面を被覆し、同時にこの天板部13の外端縁から垂下している側板部11によって支承部Ｂの一側面を全面的に被覆すると共に、この一側フランジ部A31 の後端面が一側フランジ部A31 の後端面から僅かに後方に突出するか或いは面一状となる位置まで達した状態となる。
【００３９】
なお、このカバー一半部１の天板部13に上述したような凹部15を設けている場合には、この凹部15にウエブA1の一側面に外側方に向かって突設している補強突片部A4を挿入させる。
【００４０】
同様に、カバー他半部２を支承部Ｂの他側方に配して、その前面板部22の上端部に設けている水平係止口24の開口端を支承部Ｂの前面上方部における桁材Ａの下部フランジA3の他側フランジ部A32 の外端面に対向させてこの他側フランジ部A32 に差し込んで被嵌していくと、前面板部22の内側半部が上記他側フランジ部A32 の下面に沿って支承部Ｂの前面における他側部を覆うように該他側フランジ部A32 の下方空間部に挿入されると共に、天板部23の下面が支承部Ｂの上方における他側フランジ部A32 の上面に摺接しながら内側方に移動する。
【００４１】
そして、他側フランジ部A32 の外側端面が水平係止口24の奥底部に達するまでカバー他半部２を内側方に移動させると、その前面板部22の内側端縁が桁材Ａにおける下部フランジA3の１／２の幅にまで達してその内側縁部28を上記カバー一半部１の前面板部12における内側縁部18に当接すると共に天板部23の内側半部分が支承部Ｂの上方における上記他側フランジ部A32 に受止された状態で該他側フランジ部A32 を全面的に被覆し、且つ該天板部23の外側半部分が他側フランジ部A32 から外側方に突出してこの突出部分で支承部Ｂの他側部における外側上面を被覆し、同時にこの天板部23の外端縁から垂下している側板部21によって支承部Ｂの他側面を全面的に被覆すると共に、この他側フランジ部A32 の後端面が他側フランジ部A32 の後端面から僅かに後方に突出するか或いは面一状となる位置まで達した状態となる。
【００４２】
こうして、カバー一半部１とカバー他半部２とを桁材Ａの下部フランジA3における一側フランジ部A31 と他側フランジ部A32 とにそれぞれ装着してこれらのカバー一半部１とカバー他半部２とによって支承部Ｂをその前面から両側面にかけて被覆したのち、支承部Ｂの前方における桁材Ａの下部フランジA3の幅方向の中央部で突き合わせ状に当接しているカバー一半部１とカバー他半部２との前面板部12、22の内側縁部18、28を人手によって挟圧して一方の縁部18に設けている垂直条溝18a に他方の縁部28に設けている突条28a を嵌入、係止させることによって両側前面板部12、22を一体的に接続する。
【００４３】
一方、支承部Ｂの後面と橋脚の上面中央部に突設している突壁部Ｅとの間の隙間Ｄに、桁材端部の一側方から後面カバー部３を挿入してこの後面カバー部３の他側端縁を支承部Ｂの後端面後方を通過させて桁材端部の他側方に突出させ、その両側端縁部に形成している垂直突条31、32をカバー一半部１とカバー他半部２との側板部11、21の後端縁の垂直条溝17c 、27c に合わせると共に、上端縁に形成している水平突条33をカバー一半部１とカバー他半部２との天板部13、23の後端縁に設けている水平条溝17d 、27d に合わせて、上記垂直突条31、32を垂直条溝17c 、27c に、水平突条33を水平条溝17d 、27d にそれぞれ嵌入、係止させることにより、カバー一半部１とカバー他半部２との後端をこの後面カバー部３によって一体に連結して該後端開口部を閉止すると共に支承部Ｂの後面を該後面カバー部３によって被覆させる。
【００４４】
こうして、カバー一半部１とカバー他半部２とを支承部上方の桁材Ａの下部フランジA3に装着すると共に後面カバー部３を組み込むことによって下向きに開口したボックス形状のカバーＣを形成すると、このカバーＣによって支承部Ｂが全面的に被覆された構造となり、また、このカバーＣは桁材Ａの下部フランジA3に吊支された状態となると共に、カバー一半部１とカバー他半部２との天板部13、23における桁材Ａのフランジ部、A31 、A32 を被覆しない外側部の適所に、これらのカバー一半部１とカバー他半部２内をそれぞれ外部に連通させている換気筒８、９を立設しているので、これらの換気筒８、９が煙突効果を奏してカバー一半部１とカバー他半部２の下端と支承部Ｂの設置面との間に僅かな隙間から外気を浸入させながら内部の空気の換気を行い、外気との温度差をなくして結露の発生を防止するものである。
【００４５】
さらに、桁材Ａの下部フランジA3に対するカバーＣの装着後には、桁材Ａの下部フランジA3とカバー一半部１及びカバー他半部２との接触部、即ち、水平係止口14、24とこの水平係止口14、24に差し込んでいるフランジ部A31 、A32 との接触部と凹部15、25とこの凹部15、25に挿入している補強突片部A4、A5との接触部、及び、桁材ＡのウエブA1の両側下端部とカバー一半部１及びカバー他半部２の天板部13、23の内側端縁との接触部をコーキング材によってシールして隙間をなくし、雨水がカバーＣ内に浸入するのを防止する。
【００４６】
なお、カバー一半部１とカバー他半部２との側板部11、21に設けている点検口4a、4bに対する閉止板５ａ、5bの取付けは、これらのカバー一半部１とカバー他半部２とを桁材の下部フランジA3に装着する前に行っておくことが組立作業上、好ましい。また、カバーＣを構成するカバー一半部１とカバー他半部２及び後面カバー部３とは、シリコーンゴム製としているが、耐劣化性、耐腐食性等に優れたその他のゴム或いは合成樹脂材から形成してもよい。さらに、支承部Ｂは可動支承、固定支承のいずれであっても上記カバーＣによって被覆することができるものである。
【００４７】
【発明の効果】
以上のように本発明の橋梁の桁材支承部のカバーによれば、請求項１に記載したように、橋梁における桁材支承部の一側面部から前面一半部にかけて被覆するカバー一半部と、上記支承部の他側面部から前面他半部にかけて被覆するカバー他半部と、上記支承部の後面側を全面的に被覆する後面カバー部とから構成しているので、現場への搬入等の取扱性が容易となるばかりでなく、橋脚上の桁材端部の両側方からカバー一半部とカバー他半部とをそれぞれ支承部に被せる一方、支承部の後面と橋脚上端面に突設している突壁部の壁面との間の隙間に後面カバー部を挿入して支承部の後面をこの後面カバー部により被覆させることができるので、支承部周辺の作業空間や支承部に対する取付空間が狭いにもかかわらず、カバー一半部やカバー他半部及び後面カバー部の装着作業が円滑且つ能率よく行うことができる。
【００４８】
このように、支承部の後面と橋脚上端面に突設している突壁部の壁面との間の隙間に対する後面カバー部の挿入、配設作業が容易に且つ確実に行えると共に、桁材の両側方にカバー一半部とカバー他半部とをそれぞれ配設して、これらの側壁部で支承部の側面部を被覆させ且つ前面壁部を桁材下面と橋脚上端面との狭い空間部に互いにその対向端縁部が突き合わせ状となるように容易に挿入、配設することができる。
【００４９】
さらに、上記カバー一半部とカバー他半部とは上記支承部の一側面部と他側面部をそれぞれ被覆する側板部を備え、これらの側板部の前端縁に支承部の前面一半部と前面他半部とを被覆する前面板部をそれぞれ一体に設けていると共に、橋梁桁材の端部における下部フランジの一側フランジ部と他側フランジ部との上面を被覆する天板部をそれぞれ一体に設け、且つ、カバー一半部とカバー他半部の前面板部の上端対向部に橋梁桁材の両側フランジ部にそれぞれ係合させる水平係止口を形成しているので、これらの水平係止口を桁材の下部フランジの両側フランジ部にそれぞれ差し込む作業を行うことによって、カバー一半部とカバー他半部との天板部で、それぞれ対応するフランジ部の上面から支承部の側部上方に亘って被覆した状態にすることができると同時に、側板部が支承部の外側方に垂下した状態となって該支承部の両側面をこれらの側板部によって全面的に被覆することができると共に前面板部によって支承部の前面を簡単に被覆することができる。
【００５０】
その上、桁材の下部フランジの下方に該フランジの幅方向に挿入されたこれらのカバー一半部とカバー他半部との前面板部の内側端縁が下部フランジ部の幅方向の中央部下方で突き合わせ状に接合するので、その接合部を接続させることによって両側の前面板部を簡単に一体化させることができる。同様に、桁材支承部の後面と橋脚の上面中央部に突設している突壁部の壁面との間の隙間に挿入した後面カバー部の両側端縁部をカバー一半部の側板部とカバー他半部の側板部との後端縁部に接合させて一体に接続する作業も容易に行うことができる。
【００５１】
また、桁材の下部フランジに対するカバー一半部とカバー他半部との接触部をコーキング材によってシールすると共に両側板部に設けている点検口を閉止板よって密閉しているので、雨水の浸入や支承部に対するコンクリート製床版から落下するアルカリ性遊離石灰の付着を確実に防止することができ、その上、カバーが桁材に吊支されてその下端と支承部設置面との間に隙間が存在しているので、この隙間を通じてカバーの内外が連通し、外気との温度差による結露の発生を防止することができ、さらに、上記点検口をカバーの両側板部に設けているので、橋梁桁材の側方からこの点検口を閉じている閉止板を取り外すことによってカバー内部の支承部を容易に点検することができる。
【００５２】
さらに、請求項２に係る発明によれば、上記カバー一半部とカバー他半部との天板部にこれらのカバー一半部内と他半部内とを外部に連通させた換気筒を立設しているので、これらの換気筒が煙突効果を奏してカバー内に結露が発生するのを一層確実に防止することができる。
【００５３】
請求項３に係る発明によれば、上記カバー一半部とカバー他半部及び後面カバー部をシリコーンゴムより形成しているので、耐候性、耐劣化性、耐腐食性が良好で長期の使用に供することができる。
【００５４】
また、上記カバー一半部の前面板部とカバー他半部の前面板部との対向端縁同士の接続構造と、これらのカバー一半部及びカバー他半部の側板部の後端縁と後面カバー部の両側端縁との接続構造とは、請求項３に記載したように、対向する端縁のいずれか一方に突条を他方にこの突条を嵌合させる条溝を形成してなる構造としているので、対向端縁を突き合わせ状に接合させた状態から、接合端縁部を互いに押し合う方向に挟圧することによって条溝内に突条を嵌入させて前面板部同士の接続作業や、後面カバー部の両側端縁とカバー一半部及びカバー他半部の側板部後端縁との接続を能率よく且つ強固に接続一体化させることができる。
【図面の簡単な説明】
【図１】支承部をカバーによって全面的に被覆している状態の斜視図、
【図２】その簡略縦断正面図、
【図３】カバーの分解斜視図、
【図４】カバー一半部を前面側から見た斜視図、
【図５】カバー一半部を後面側から見た斜視図、
【図６】カバー他半部を前面側から見た斜視図、
【図７】カバー他半部を後面側から見た斜視図、
【図８】一半部と他半部及び後面カバー部とを組み合わせたカバーの横断面図、
【図９】カバーによって被覆されていない支承部の斜視図。
【符号の説明】
Ａ  桁材
Ｂ  支承部
Ｃ  カバー
１  カバー一半部
２  カバー他半部
３  後面カバー部
4a、4b  点検口
5a、5b  閉止板
８、９  換気筒
11、21  側板部
12、22  前面板部
13、23  天板部
14、24  水平係止口
18a   条溝
28a   突条
【図１】
0003725882.tif 000002
【図２】
0003725882.tif 000003
【図３】
0003725882.tif 000004
【図４】
0003725882.tif 000005
【図５】
0003725882.tif 000006
【図６】
0003725882.tif 000007
【図７】
0003725882.tif 000008
【図８】
0003725882.tif 000009
【図９】
0003725882.tif 000010